(57)【要約】【課題】芝刈り機の動力源に合わし、構造が簡単で伝動効果のよい輪軸駆動装置の提供。【解決手段】芝刈り機の輪軸駆動装置の一種で、それは殻体と、殻体に取り付けられる輪軸と、回転可能に輪軸に設置され、複数個の第一片方向歯が設けられてある駆動輪と、回転方向に位置限定されるよう輪軸に設置され、複数個の第二片方向歯が設けられ、第二片方向歯は第一片方向歯に対応する活動輪と、殻体に設置され、駆動輪と活動輪が噛み合わせるかの制御に用いられるクラッチと、殻体に取り付けられ、駆動輪を回転させることに用いられるウォームとを備え、これにより、操作時、クラッチは活動輪を輪軸に於いて軸方向の移行を生じさせ、並びに駆動輪と噛み合わせ、更に進んで輪軸を同調に回転させる。【選択図】図２
0003150537.tif 000002
【実用新案登録請求の範囲】
【請求項１】
芝刈り機の輪軸駆動装置の一種であって、
上殻体と下殻体が設けられてある殻体と、
上殻体と下殻体の間に取り付けられてある輪軸と、
ナイロン(nylon)及び繊維を混合して射出成型され、かつ回転可能に輪軸に設置され、ウォームホイール(worm wheel)部及び複数個の第一片方向歯が設けられてある駆動輪と、
ナイロン及び繊維を混合して射出成型され、かつ回転方向に位置限定されるよう輪軸に設置され、環溝部及び複数個の第二片方向歯が設けられ、かつ第二片方向歯は第一片方向歯に対応する活動輪と、
殻体に設置され、駆動輪と活動輪が輪軸と噛み合わせまたは分離することの制御に用いられるクラッチ(clutch)と、
一端は芝刈り機の動力源に連接され、他の一端は駆動輪のウォームホイール部に噛み合わせ、駆動輪を回転させることに用いられるウォームとを備え、
これにより、操作時、クラッチは活動輪を輪軸に於いて軸方向の移行を生じさせ、並びに駆動輪と噛み合わせ、更に進んで輪軸を同調に回転させることを特徴とする芝刈り機の輪軸駆動装置。
【請求項２】
前記輪軸の両側にはそれぞれ位置限定部材が設けられ、前記活動輪の軸孔両側には前記活動輪が前記輪軸の位置限定部材に取り付けられることに用いられる定位溝が設けられ、それによって前記活動輪は軸方向の移行及び回転方向の位置限定状態を形成することができるものを特徴とする請求項１記載の芝刈り機の輪軸駆動装置。
【請求項３】
前記クラッチはレバー(lever)、弾き片及びスプリング(spring)を備え、レバーの一端は弾き片の動きを制御し、弾き片は前記活動輪の環溝部内に嵌め込められ、それによって前記活動輪は軸方向に移行しかつ前記駆動輪に噛み合わせ、尚且つスプリングの作用を受けて前記活動輪は常時前記駆動輪と分離し、レバーにはスリーブ(sleeve)が設けられ、スリーブには割り溝が設けられ、レバーの頂上端にはスリーブ内に差し込むことに用いられる上結合片を備え、弾き片の底端には下結合片が設けられ、下殻体の底面には受け座が設けられ、下結合片は受け座内に差し込むことができ、それによって活動輪は力を受けると軸方向に移行することができるものを特徴とする請求項１記載の芝刈り機の輪軸駆動装置。
【考案の詳細な説明】
【技術分野】
【０００１】
本考案は芝刈り機に関するもので、特に芝刈り機の動力源に合わして応用され、構造が簡単で、伝動効果のよい輪軸駆動装置を達成するものを指す。
【背景技術】
【０００２】
従来の芝刈り機の構造は主として芝刈り機具、輪具、ハンドル等三つの部分を含み、使用者はハンドルを掴んで前へ押すと、芝刈り機具は下にある輪具の回転をもって移動する。芝刈り機具は動力源をもってカッター(cutter)を高速回転させ、カッターによって芝生を切断し、並びにカッターの回転方向に順じた勢いで切断された芝生を機具から排出する。
【０００３】
前述芝刈り機は快速に芝生を切断することができるが、使用者は力を出して芝刈り機を押さなければならなく、面積の広い芝刈りの仕事に対してはやはり体力の負担になってしまう。
【０００４】
このことに鑑み、本考案の考案者は芝刈り機の自走を研究開発の目標とし、それによって日本国特許第3084992号「自走式芝刈り機の駆動歯車軸の構造」の新型特許が誕生したが、その技術は二つの伝動錐塊により、その錐面をもって歯車の錐度孔に緊密に押し付け、錐面の摩擦原理を用いて動力を伝送し、更に進んで芝刈り機の輪軸を回転させるものである。
【０００５】
ところがその技術にも若干の問題が発生し、例えば動力の伝送は二つの錐面の摩擦原理を用いるので、部品が互いに摩擦して損耗し、作業温度が高く、それによって使用寿命が短くなり、尚且つ動力の伝送が遅い及び部品数が多すぎる等問題が発生するので、この技術は構造上に於いて依然改善する余地がある。
【先行技術文献】
【特許文献】
【０００６】
【特許文献１】特許第3084992号明細書
【考案の概要】
【考案が解決しようとする課題】
【０００７】
上述課題に鑑み、本考案の目的は芝刈り機の輪軸駆動装置を提供し、それによって従来構造の伝動効率がよくない、及び部品数が多い等問題を改善することである。
【課題を解決するための手段】
【０００８】
そこで、上述目的を達成するため、本考案は芝刈り機の輪軸駆動装置の一種を開示し、それは殻体と、殻体に取り付けられる輪軸と、回転可能に輪軸に設置され、複数個の第一片方向歯が設けられてある駆動輪と、回転方向に位置限定されるよう輪軸に設置され、複数個の第二片方向歯が設けられ、第二片方向歯は第一片方向歯に対応する活動輪と、殻体に設置され、駆動輪と活動輪が噛み合わせるかの制御に用いられるクラッチと、殻体に取り付けられ、駆動輪を回転させることに用いられるウォームとを備え、これにより、操作時、クラッチは活動輪を輪軸に於いて軸方向の移行を生じさせ、並びに駆動輪と噛み合わせ、更に進んで輪軸を同調に回転させるが、このような伝動効果はより直接であり、かつ構造強度もよくなる。
【図面の簡単な説明】
【０００９】
【図１】本考案の外観意表図である。
【図２】本考案の構造分解図である。
【図３】本考案の活動輪の構造意表図である。
【図４】本考案の活動輪の平面構造の意表図である。
【図５】本考案の駆動輪の構造意表図である。
【図６】本考案の駆動輪の平面構造の意表図である。
【図７】本考案の輪軸駆動装置が空転状態の意表図である。
【図８】本考案の輪軸駆動装置が駆動状態の意表図である。
【考案を実施するための形態】
【００１０】
次に、図面により本考案の芝刈り機の輪軸駆動装置の実施例について説明する。
【００１１】
図１に示す本考案の外観意表図を参照ください。それに示す芝刈り機の輪軸駆動装置100は殻体10、プーリ(pulley)20、輪軸30及びクラッチ40を含む。その中のプーリ20は芝刈り機の動力源（図面には示されていない）との連接に用いられ、プーリ20は動力を受けて回転し、クラッチ40はプーリ20の制御に用いられて輪軸30を回転させる。
【００１２】
図２に示す本考案の構造分解図を参照ください。殻体10は上殻体10a及び下殻体10bから構成される。上殻体10aには取り付け孔11が設けられ、上、下殻体10a、10bの間には密閉された収納空間13が形成され、それは潤滑油の充填に用いられ、潤滑油は収納空間13の約40％比例を占め、潤滑油は排熱、潤滑及び部品の清潔に用いられる。他に収納空間13の底面に受け座14が設けられる。
【００１３】
プーリ20は回転可能に上殻体10aに設置され、プーリ20はウォーム21を連接し、かつプーリ20に伴って回転する。
【００１４】
輪軸30は上、下殻体10a、10bの間に設置され、輪軸30の予定位置個所には若干の固定孔31が設置され、本考案に於いて固定孔31の数は二つである。二つの位置限定部材32はU字状に現れ、それぞれ端脚を固定孔31に固定し、その固定方式は機械式またはその他同等効果の固定方式を採用することができる。
【００１５】
クラッチ40はレバー41、弾き片44及びスプリング42から構成され、スプリング42の一端は上殻体10aに連接され、他の一端はレバー41に連接される。レバー41の一端は軸方向のスリーブ43が設置され、それは上殻体10aの取り付け孔11との取り付けに用いられ、スリーブ43は割り溝431を備える。
【００１６】
弾き片44の底端には下殻体10bの受け座14内に差し込むための下結合片443が設けられ、頂上端にはレバー41のスリーブ43内に差し込むための上結合片441が設けられ、それによって弾き片44はレバー41に定位されて一体に現れる。
【００１７】
またレバー44はＣ字の形状に現れ、それの開放側には活動輪50の嵌め付けに用いられる上、下弾き片442が設けられてある。活動輪50には環溝部51を備え、それは弾き片44の取り付けに用いられ、並びに弾き片44両側の上、下弾き片442に位置限定される。その中、レバー41が引き動かされると、レバー41は弾き片44を連動して動かせ、引く力が失うと、スプリング42によって復帰する。
【００１８】
図３に示す本考案活動輪の構造意表図を参照ください。活動輪50にはそれを輪軸30に設置する軸孔52を備える。活動輪50の一側には四つの第二片方向歯53が設けられ、各第二片方向歯53には一つの高端及び低端を備え、かつ第二片方向歯53には複数個の排熱孔54を備える。
【００１９】
更に図４に示す本考案活動輪の平面構造の意表図を参照ください。活動輪50の軸孔52両側にはそれぞれ定位溝55が設けられ、定位溝55と軸孔52は連通し、軸孔52の周縁には他に複数個の凹溝56が設けられてある。弾き片44が動かされると、定位溝55が輪軸30の位置限定部材32を収納している関係により、活動輪50は輪軸30に於いて軸方向の移行を生じ、並びに回転方向の位置限定を受ける。
【００２０】
この他、輪軸30には活動輪50に相対する駆動輪60が設けられ、駆動輪60はウォーム21と噛み合わせ、並びにそれに伴って回転することに用いられる。
【００２１】
図５に示す本考案駆動輪の構造意表図を参照ください。駆動輪60には輪軸30に取り付けるための軸孔61を備え、駆動輪60の一端にはウォーム21との噛み合わせに用いられるウォームホイール部62を備える。かつ駆動輪60の他の一端周囲には四つの第一片方向歯64が一体成型され、その第一片方向歯64には複数個の排熱孔65が設けられてある。
【００２２】
図６に示す本考案駆動輪の平面構造の意表図を参照ください。それには駆動輪60のウォームホイール部62の側面に複数の凹溝63が設けられてあることが示されている。
【００２３】
駆動輪60の第一片方向歯64は活動輪50の第二片方向歯53と対応し、並びに活動輪50が移行を生じた場合、第一、二片方向歯64、53は互いに噛み合わせ、活動輪50は駆動輪60に動かされ、活動輪50は輪軸30を同調して回すことができる。
【００２４】
ここに説明の値になるのは、活動輪50と駆動輪60はともに70％〜80％のナイロンに30％〜20％の繊維を混ぜ加えて射出成型され、それによって活動輪50と駆動輪60は耐高温及び高い強度の特性を備えることができる。また凹溝56、63及び排熱孔54、65の設置は成型の原料を減らし、重さが軽くなり、作業時の排熱表面積を増やすことができ、かつ射出成型時には工作物の冷却収縮または排熱不均一による変形を減らすことができる。
【００２５】
図７に示す本考案の輪軸駆動装置が空転状態の意表図を参照ください。それは弾き片44が常態位置にある場合、活動輪50は駆動輪60から分離して空転状態にあり（点線に示す如く）、このとき輪軸30は活動輪50に動かされなく、静止状態にあることを示す。
【００２６】
図８に示す本考案の輪軸駆動装置が駆動状態の意表図を参照ください。それは弾き片44が操作位置にある場合、活動輪50は弾き片44に動かされて輪軸30に於いて軸方向に移行し、並びに駆動輪60と互いに噛み合わせ、駆動輪60は駆動状態になり、駆動輪60は動力を活動輪50へ伝送し、活動輪50は同調に輪軸30を回転させる（点線に示す如く）ことを示す。
【００２７】
このように、動力の伝達は順番にウォーム21、駆動輪60、活動輪50、輪軸30であり、本考案の動力伝達効果はより直接になり、多くの動力の損耗は発生しない。
【００２８】
上述をまとめると、本考案の芝刈り機の輪軸駆動装置は駆動輪60のウォームホイール部62及び第一片方向歯64を一体成型しているので、本考案の伝動構造は簡単容易になり、動力伝送時は順番にウォーム21、駆動輪60、活動輪50から輪軸30に至り、伝送効率は従来の構造より直接であり、多くの動力損耗は発生しなくなる。
【００２９】
活動輪50と駆動輪60はともに適当比例のナイロンと繊維材料から作成され、かつそれには複数の排熱孔54、65または凹溝56、63が成型されているので、活動輪50と駆動輪60は軽量、耐高温及び高強度の特性を備える。
【００３０】
以上に述べたのは最適実施例だけであり、それは技術範囲を制限するものではなく、本考案の精神と範疇を離脱しないで、それに対して行った同等効果の改修または変更は、すべて本案の実用新案登録請求の範囲に含まれるべきとさせてもらいます。
【図１】
0003150537.tif 000003
【図２】
0003150537.tif 000004
【図３】
0003150537.tif 000005
【図４】
0003150537.tif 000006
【図５】
0003150537.tif 000007
【図６】
0003150537.tif 000008
【図７】
0003150537.tif 000009
【図８】
0003150537.tif 000010